Podtech/llm-jp-corpus-v4-ja_patent huggingface dataset:
(57)【要約】【課題】  多数の指圧体で足の裏の数多くのツボを押しながら、刺激を与えたい一つのツボを一個の指圧体で押すことが瞬時に出来る足裏指圧具を提供する。【解決手段】  可撓性素材からなる袋の中に転がり易い形状の指圧体を複数収納する足裏指圧具であって、その袋の構成は中央に多くの指圧体が集まる多数収納室部と一個の指圧体が納まる個室部とを形成たものであって、指圧体しとてはゴルフボールの他にガラス製、セラミック製、金属製等による転がり易いものとしている。【選択図】          図１
2006150017.tif 000002
【特許請求の範囲】
【請求項１】
可撓性素材からなる袋の中に転がり易い形状の指圧体を複数収納し、その袋は中央に多くの指圧体が集まる大きさとして多数収納室部を形成し、その袋の左右より延長させて一個の指圧体が納まる個室部を対称位置に設けたことを特徴とする足裏指圧具。
【発明の詳細な説明】
【技術分野】
【０００１】  この発明は、主に足の裏を刺激して疲労回復や健康の増進を図る球状の指圧体を袋に納めた足裏指圧具に関する。
【背景技術】
【０００２】  従来においては、網袋の中に複数個のガラス球を納め、その網袋の上に足を乗せ、その足の裏をガラス球で押し付けて左右前後等に動かすことで刺激を与えるものがあった。
【特許文献１】  実用新案登録第３０６５０８５号
【発明の開示】
【発明が解決しようとする課題】
【０００３】  しかし、これでは足の裏の複数箇所を押し付けるもので、刺激を強く感じる一つのツボを押し続けることが出来にくいものであった。【０００４】  そこで、足裏の複数箇所を刺激しながら、一つのツボに移行して押し続けることができる足裏指圧具として提供することを課題としている。
【課題を解決するための手段】
【０００５】  上記課題を達成するために、本発明に係わる足裏指圧具は、可撓性素材からなる袋の中に転がり易い形状の指圧体を複数収納し、その袋の中央には多くの指圧体が集まる大きさとした多数収納室部を形成し、その多数収納室部の左右より移行可能状態に延長させて一個の指圧体が納まる個室部を対称位置に設けたものとしている。【０００６】  そして、袋は、天然繊維や合成繊維などによる布状のものや網状のものなどが考えられるもので、多数収納室部と個室部との形状も様々な形状にすることが出来る。【０００７】  指圧体はゴルフボール、の他にガラス製、セラミック製、金属製等による球状のものが考えられ、その球状も球体や球体の表面に突起を設けたり多角面に設けたりすることが考えられ、磁性や遠赤外線等の作用を働かせることも可能であり、梅干しの種等の植物の種子を使用することも可能でこの足裏指圧具の上に足を乗せて前後左右に動かして足裏に刺激を与えるものである。
【発明の効果】
【０００８】  この発明によれば、椅子に座った状態で多数収納室部の上に足を乗せて前後左右に動かすことができ、足裏の複数箇所を押し付けて刺激を与えながら一つのツボを強く押し付けたい気持ちになったときに、足裏を個室部の上に瞬時に移すことが出来る。【０００９】  また、指圧体が遠くに離れて拾い集めることもなく、足先で多数の指圧体を多数収納室部で寄せ集めながら押し付けたり、袋の中の指圧体の一個を多数収納室部から個室部へ移動させて一つのツボ押しをしたりする運動によって、指圧効果のほかに脳を刺激する。
【発明を実施するための最良の形態】
【００１０】  以下実施例を図面にもとづいて説明する。
【実施例１】
【００１１】  図１において、袋２としては、網状の洗濯ネットをラクビーボール状の先端から三角錐形状の個室部５を設けた第一の実施例が示されている。【００１２】  そして、指圧体３としては、ゴルフボールを七個使用していて、このボールを入れる袋口７が指圧に邪魔に成らない小さいものとし、個室部５は指圧体３の一個が入る大きさであれば三角錐形状でなくてもその形状は自由である。【００１３】  基本的な使用方法としては、足裏指圧具１を床の上に置き、足裏をその袋の上から指圧体３に乗せ、その足を前後左右に動かすことによって足裏に刺激を与えるもので、一つのツボに押したいときにはすぐ横に連接している個室部５へ足を移動することがすぐに出来るものとしている。【００１４】  椅子に座らず立った状態でも使用することが出来るもので、そのときには柱や壁等に手を掛けて行うこともできる。【００１５】  したがって、袋２の横の長さは腰幅か肩幅の長さのものが使い易いものと考えられ、袋２の前後の長さは床に置いたときに指圧体３の三個が縦に並んで動ける長さとし、指圧体３の数は左右の個室部５に一個づつと多数収納室部４の五個を増やしたり減らしたりすることが出来るもので、その指圧体３の数は使う人の好みによって指圧体３の出し入れができるファスナー付きの袋口７から自由に調節することが出来るものとしている。
【実施例２】
【００１６】  第二の実施例としては、図２に示すように多数収納室部４を筒状のネットで形成し、その左右の筒口から三角錐形状の個室部５を設けたものとしていて、指圧体３はその表面から突起を設けたコンペイトー状態の硬質ゴムによって形成したものとしている。【００１７】  この突起付き指圧体３の材質としては、硬質ゴムのほかに木質、金属類、陶磁器、セラミック等が考えられ、これらを収納する袋２としては突起の形状によっては網袋より布地や不織布によって形成した袋２が使い易いものと考えられる。【００１８】  また、その他に考えられる実施例としては、図３や図４に示すようなものがあって、図３に示すものでは袋２の形状を球状の多数収納室部４から連接した横長の個室部５によって形成され、指圧体３の形状を多面体としている。【００１９】  図４に示すものは、足裏指圧具１を床面に置いたときの形状が菱形となる網袋を袋２としたもので、指圧体３として梅干しの種を拾数個使用したものとしていて、指圧体３の大きさが大小様々のものが使え、本発明の足裏指圧具は足裏以外にも使えるものである。
【図面の簡単な説明】
【００２０】
【図１】図１は、この発明の第一の実施例を示す平面図である。
【図２】図２は、この発明の第二の実施例を示す平面図である。
【図３】図３は、その他に考えられる実施例を示す平面図である。
【図４】図４は、菱形となる網袋を袋とした実施例を示す平面図である。
【符号の説明】
【００２１】１  足裏指圧具
２  袋
３  指圧体
４  多数収納室部
５  個室部
６  突起部
７  袋口
【図１】
2006150017.tif 000003
【図２】
2006150017.tif 000004
【図３】
2006150017.tif 000005
【図４】
2006150017.tif 000006
(57)【要約】【課題】糸、紐、綱等の結束作業は強度を高めるために、専門的且つ複雑な結び方が必要であり、専門知識や経験がない人、又は目や手指などの不自由な人には難があった。【解決手段】結束具本体下部より挿入された糸、紐、綱等を垂直方向に巻きつけることにより強い結束力を得、またその本体に引っ掛けるだけで糸、紐、綱等が固定できる結束具を利用する。その結束具の形状は例えば円筒形であり、２つの切り口が設けられたものである。【選択図】図１
2006347614.tif 000002
【特許請求の範囲】
【請求項１】
結束具本体下部より挿入された糸、紐、綱等を垂直方向に巻きつけることにより結束力を得ることを特徴とする結束具。
【請求項２】
前記結束具本体は円筒形状で２つの切り口を持つことを特徴とする請求項１記載の結束具。
【発明の詳細な説明】
【技術分野】
【０００１】
この発明は、糸、紐、綱等を簡単に結束できる結束具に関する。
【背景技術】
【０００２】
従来の糸、紐、綱等の結束は、その目的や素材により専門的な結束手法を行うというものである。
【発明の開示】
【発明が解決しようとする課題】
【０００３】
しかしながら結束の目的によっては結束強度を高めるために専門的且つ複雑な結び方が必要である。また、特に糸、紐、綱等が滑り易い素材である場合はより専門的な作業が必要であり、その知識や経験を持たない人及び目や手指などの不自由な人には難があった。
そこで、この発明は、糸、紐、綱等が誰にでも簡単に結べる結束具を提供することを課題とする。
【課題を解決するための手段】
【０００４】
以上の課題を解決するために、第一発明は、結束具本体下部より挿入された糸等を垂直方向に巻きつけることにより結束力を得ることを特徴とする結束具である。
また、第二発明は、結束具本体は円筒形状のものに２つの切り口を設けたことを特徴とする結束具である。
【発明の効果】
【０００５】
第一発明、または第二発明によれば、結束具本体下部より挿入された糸等を垂直方向に巻きつけることにより十分な結束力得られ、また最後の工程では糸等を切り口に引っ掛けて固定するだけなので、誰にでも簡単且つ強く糸等を結束することができる。
【発明を実施するための最良の形態】
【０００６】
この発明の一実施形態を、図１、図２及び図３に示す。
結束具本体１に糸等を通すために余裕の幅を持つ切り口２とその反対側に鋭角的な形状の切り口３が設けられている。
【０００７】
「実施形態の効果」
この実施形態によれば、糸等を結束具のどこから挿入するのかがよくわかる。糸等を巻く際にも円筒形のため糸等が本体にフィットし且つスムーズに巻くことができ強い結束力も得られる。糸等の固定作業も簡単に行うことができ、また単純な形状のため小さく且つスリムに加工することも可能で風の強い場所や水中でも影響を小さくすることができる。
【０００８】
「他の実施形態」
図１、図２及び図３の実施形態では、結束具本体１は円筒形であり、切り口も２つであったが、他の実施形態では、結束具本体の形状は板状や棒状のものに糸等を通す溝やフック等を設けたものでも良く、切り口２も代わりに本体に穴を設ける等のものでも良い。
【図面の簡単な説明】
【０００９】
【図１】この発明の斜視図である。
【図２】この発明の正面図である。
【図３】この発明の一実施形態を示す斜視図である。
【符号の説明】
【００１０】
１  結束具本体
２  余裕の幅を持つ切り口
３  鋭角的な形状の切り口
４  糸等
【図１】
2006347614.tif 000003
【図２】
2006347614.tif 000004
【図３】
2006347614.tif 000005
(57)【要約】      （修正有）【課題】シャンプー、リンス、ボディーソープ等に用いられている手動ポンプ容器は、詰め替え用補充液の注入口がなく、ポンプ本体を取り外して注入する為、入れ過ぎて補充液が漏れたり、取り外したポンプに付いている内容液が床を汚す事があった。ポンプ部を外さず液補充出来る手動ポンプ容器の提供。【解決手段】プラスチック製容器本体1の上部に注入口３を取り付け、手動ポンプを外すことなく詰め替え用液体を補充する。【選択図】図１
2006347622.tif 000002
【特許請求の範囲】
【請求項１】
注ぎ口を付けたことを特徴とする手動ポンプ
【請求項２】
前記注ぎ口は容器上部に設けられ、詰め替え用液体（シャンプー、リンス、ボディーソープ等）を、ポンプ部を取り外す事なく注入する事が出来る事を特徴とする請求項１記載の手動ポンプ。
【発明の詳細な説明】
【技術分野】
【０００１】  この発明は、シャンプー、ボディーソープ等の容器に用いる手動ポンプに関する。
【背景技術】
【０００２】  従来のシャンプー等の容器に用いられている手動ポンプの形状は、図２に示すように、容器本体１の上部にポンプ２が設けられたものである。
【発明の開示】
【発明が解決しようとする課題】
【０００３】  しかしながら、以上の技術によれば、詰め替え用液体（シャンプー、リンス、ボディーソープ等）を注入する際、ポンプ部を取り外さなければならない為、ポンプ先に僅かに残った液体が床を汚す事や、又ポンプ先にゴミが付いて内部が不潔になる事があった。
そこで、この発明は、ポンプ部を取り外さない注入口付き手動ポンプを提供することを課題とする。
【課題を解決するための手段】
【０００４】  以上の課題を解決するために、第一発明は、注ぎ口を付けたことを特徴とする手動ポンプである。
また、第二発明は、注ぎ口は容器上部に設けられ、詰め替え用液体（シャンプー、リンス、ボディーソープ等）を、ポンプ部を取り外す事なく注入する事が出来る事を特徴とする手動ポンプである。
【発明の効果】
【０００５】  第一発明によれば、手動ポンプに注入口を設けたので、詰め替え用液体補充の際に、ポンプ先に僅かに残った液体が床を汚す事や、又ポンプ先にゴミが付いて内部が不潔になる事がなくなる。また、第二発明によれば、注ぎ口を上部に設けた事により内容液補充の際に注入しやすく、溢れ出る事を防ぐ。
【発明を実施するための最良の形態】
【０００６】  この発明の一実施形態を、図１に示す。
手動ポンプの容器本体１はプラスチック製であり、この本体１の上部には、ポンプ２が設けられている。この本体１には注入口３が設けられている。【０００７】「実施形態の効果」
この実施形態によれば、詰め替え用液体補充の際、ポンプを取り外す手間が省ける。取り外したポンプの置き場に困る事がない。ポンプ先に残った内溶液で床を汚すことがない。内容液補充後ポンプを戻す時、入れ過ぎで溢れる心配がない。ポンプ先を汚して、内容液が不潔になる事がない。
【図面の簡単な説明】
【０００８】
【図１】この発明の一実施形態を示す斜視図である。
【図２】従来技術を示す斜視図である。
【符号の説明】
【０００９】  １、容器本体      ２、ポンプ      ３、注入口
【図１】
2006347622.tif 000003
【図２】
2006347622.tif 000004
(57)【要約】【課題】  あらかじめチャイルドシートに装着して使用する、乳幼児用ドライビングクッションを提供する。【解決手段】  袋状になった平らな面の左右に凸部を設け、クッションの上端に、チャイルドシートに装着するための固定具を設け、クッションの裏側に、後頭部を乗せる部分の幅を変えることができる留具を設けた、乳幼児用ドライビングクッション。【選択図】  図１
2006347517.tif 000002
【特許請求の範囲】
【請求項１】
袋状になった平らな面の左右に凸部を設け、その上端に固定具を設け、後頭部を乗せる部分の幅を変えることができることを特徴とする乳幼児用ドライビングクッション。
【発明の詳細な説明】
【技術分野】
【０００１】  本発明は、チャイルドシートで眠ってしまった乳幼児の頭が、左右に大きく傾いて寝苦しくならないようにする、乳幼児用ドライビングクッションに関するものである。
【背景技術】
【０００２】  従来、乗車中に眠ってしまった乳幼児の、首の前から装着するＵ字型のクッションはあったが、チャイルドシートに装着して使用するクッションはなかった。
【発明の開示】
【発明が解決しようとする課題】
【０００３】  そのために、次のような問題点があった。
Ｕ字型のクッションの場合、乗車中に眠ってしまった時、車を停車してクッションを装着する必要があった。姿勢を直すための停車場所がなかなか見つからない場合は、寝苦しい姿勢のまま走行する事になった。
本発明は以上の問題点を解決しようとするものである。
【課題を解決するための手段】
【０００４】    後頭部を乗せる部分を、袋状になった平らな面とし、その左右にストッパーの役目を果たす凸部を設け、クッション本体の上端に、チャイルドシートに装着するための固定具を設ける。また、クッション本体の裏側に、後頭部を乗せる部分の幅を変えることの出来る装置として留め具を設ける。以上を特徴とする乳幼児用ドライビングクッションである。
【発明の効果】
【０００５】  本発明は、あらかじめ、チャイルドシートに固定しておくので、乳幼児がいつ眠ってしまっても、頭が大きく傾かず、安眠を妨げない。
【発明を実施するための最良の形態】
【０００６】  以下、本発明の実施の形態を説明する。
（イ）後頭部を乗せる部分（１）を袋状（９）になった平らな面とし、その左右にストッパーの役目を果たす凸部（２）（３）を設けたクッション本体（Ａ）を形成する。
（ロ）そのクッション本体（Ａ）の上端に、チャイルドシート（７）に装着するための帯状の固定具（４）を設ける。
（ハ）クッション本体（Ａ）の裏側（５）に、後頭部を乗せる部分（１）の幅を変えることのできる留め具（６）を設ける。
本発明は、以上の構成よりなっている。
本発明を使用するときは、後頭部を乗せる部分（１）の幅を乳幼児の頭に合わせて調節し、留め具（６）で留める。次に、乳幼児の頭の高さに合わせて、チャイルドシート（７）を取り付けた座席の、ヘッドレスト（８）に帯状の固定具（４）で固定する。
また、必要があれば、後頭部を乗せる部分（１）の袋状（９）の部分に冷却材を入れて使用できる。
【図面の簡単な説明】
【０００７】
【図１】本発明の表側の斜視図
【図２】本発明の裏側の斜視図
【図３】本発明の使用状態を示す斜視図
【符号の説明】
【０００８】    １      後頭部を乗せる部分
２・３  凸部
４      固定具
５      クッションの裏側
６      留め具
７      チャイルドシート
８      ヘッドレスト
９      袋状
Ａ      クッション本体
【図１】
2006347517.tif 000003
【図２】
2006347517.tif 000004
【図３】
2006347517.tif 000005
(57)【要約】【目的】  透明で簡単にハンドバッグを雨に濡れない状態で収納する。【構成】  透明プラスチックフィルムＦを２枚重ねてその周囲にファスナー４、５を設けて開閉自在とし、前記フィルムＦの把手を収納する把手部３には指又は腕が挿入できる開口部６を設け、この透明ハンドバッグ被覆袋１は展開自在な収納体１０に折りたたんで収納される。    【選択図】  図１
2006347572.tif 000002
【特許請求の範囲】
【請求項１】
ハンドバッグ本体を収納するための略矩形の本体部とハンドバッグの把手部分を収納するための略山形の把手部とが結合したプラスチックフィルム又は布を２枚重ね合わせ、この重ね合わせたフィルム又は布の周囲の少なくとも一部にハンドバッグ本体を出入できるように開閉自在にファスナーを形成し、前記略山形の把手部には、フィルムの外側からハンドバッグの把手が保持できるような開口部を形成したことを特徴とするハンドバッグ被覆袋。
【請求項２】
前記ハンドバッグ被覆袋を非使用時に収納しておくための開閉自在な収納体を備えた請求項１記載のハンドバッグ被覆袋。
【発明の詳細な説明】
【技術分野】
【０００１】
本発明は、雨が降ったときにハンドバッグを雨に濡れないように被覆するハンドバッグ被覆袋に関する。
【背景技術】
【０００２】
雨が降ったときに、ハイヒールが濡れないように透明プラスチックでカバーすることは広く知られているが、このときハンドバッグは濡れないようにするために手さげ袋に入れて持ち歩くようにしている。
【発明の開示】
【発明が解決しようとする課題】
【０００３】
これでは、折角の高級バッグも外部から見えずおしゃれ感覚から望ましくない
本発明は、かかる点に鑑み、外部から内部のハンドバッグが透視でき、しかも取り扱いが簡単なハンドバッグ被覆袋を提供することを課題とする。
【課題を解決するための手段】
【０００４】
そこで、本発明は、ハンドバッグ本体を収納するための略矩形の本体部とハンドバッグの把手部分を収納するための略山形の把手部とが結合したプラスチックフィルム又は布を２枚重ね合わせ、この重ね合わせたフィルム又は布の周囲の少なくとも一部にハンドバッグ本体を出入できるように開閉自在にファスナーを形成し、前記略山形の把手部には、フィルムの外側からハンドバッグの把手が保持できるような開口部を形成した。そして、前記ハンドバッグ被覆袋には、前記ハンドバッグ被覆袋を非使用時に収納しておくための開閉自在な収納体を備えることが好ましい。
【発明の効果】
【０００５】
前記ハンドバッグ被覆袋は、簡単な操作で開閉できてその中にハンドバッグを雨に濡れない状態で収納でき、ハンドバッグの把手部分も持ち易いように開口部が形成され、被覆袋自体が収納体によってコンパクトに収納されるので嵩張らずに常時持ち運びが可能となる。  
【発明を実施するための最良の形態】
【０００６】
以下、図面を参照して本発明の実施形態について説明する。
【０００７】
図１において、本発明のハンドバッグ被覆袋１はハンドバッグｈの本体１０（図２）を収納するための略矩形の本体部２とこれに連続して形成されハンドバッグｈの把手部分１１（図２、ショルダータイプのものにおいては吊皮を収納する。）を収納するための略山形の把手部３とからなる透明プラスチックフィルムＦを備え、このフィルムＦが２枚重ねとなっており、その周囲にはファスナー４、５が連続して形成されている。このファスナー４、５は前記把手部３のみに形成されてもよく、矩形の本体部２の周囲にのみ形成されてもよい。すなわち、ハンドバッグｈを収納するための開口部が形成されればよい。前記ファスナー４、５を開閉するための金具７、７が設けられ、左右に開閉自在となっている。前記山形部のほぼ中央には、左右に開くための開口部６が設けられ、その開口部６から手の指を入れて、ハンドバッグｈの把手１１が把手できるようになっている。このように開口部６を形成すれば、手で把手を握ることができるし、開口部を大きくすれば、腕も挿入することができる。このように透明プラスチックでハンドバッグの全面を被覆すれば、内部のハンドバッグが外部から見えて、おしゃれ感覚を満足させ得るし、雨にも濡れることはない。なお、開口部６の形成により指又は腕を挿入することにより盗難防止にも有効である。また、透明プラスチックの代わりに色物のプラスチックを用いることができ、更には防水用布も使用することができる。更には、プラスチックの袋には、バッグのロゴ等を入れて高級感を与えることができる。
【０００８】
図３は、前記透明ハンドバッグ被覆袋１の非使用時にそれを収納するための収納体１０を示し、この収納体１０は略矩形の透明プラスチック本体１１を有し、この本体１１の左右端には、端を保護するための柔軟な保護枠１２、１２を備えている。前記本体１１の長手方向における中央位置から少しずれた位置には、同質材のサイド被覆体１３、１３を備え、この端部にも柔軟な保護枠１５、１５が設けられている。前記本体１１の幅方向中央部であって、長手方向の各端部近傍にはファスナー１６（表側）、１７（裏側）が設けられている。そして、折りたたまれた透明ハンドバッグ被覆袋１を前記サイド被覆体１３、１３に対応する位置にセットし、サイド被覆体１３を折り上げた後に、本体１１の図上左側の長い長片部１１ａを折り上げ、更に本体１１の図上右側の短片部１１ｂを折り上げてファスナー１６、１７を結合させて収納する。このようにすれば、コンパクトに透明ハンドバッグ被覆袋１を収納でき、持ち運びに便利である。
【図面の簡単な説明】
【０００９】
【図１】本発明の透明ハンドバッグ被覆袋の斜視図である。
【図２】本発明の透明ハンドバッグ被覆袋内にハンドバッグを収納した状態を示す斜視図である。
【図３】透明ハンドバッグ被覆袋を収納するための収納体の展開図である。
【図４】図３の収納体内に透明ハンドバッグ被覆袋を収納した状態を示す斜視図である。
【符号の説明】
【００１０】
１…透明ハンドバッグ被覆袋
２…本体部
３…把手部
４、５…ファスナー
６…開口部
１０…収納体
１２…保護枠  
【図１】
2006347572.tif 000003
【図２】
2006347572.tif 000004
【図３】
2006347572.tif 000005
【図４】
2006347572.tif 000006
【手続補正書】
【提出日】平成18年8月2日(2006.8.2)
【手続補正１】
【補正対象書類名】図面
【補正対象項目名】全図
【補正方法】変更
【補正の内容】
【図１】
2006347572.tif 000007
【図２】
2006347572.tif 000008
【図３】
2006347572.tif 000009
【図４】
2006347572.tif 000010
(57)【要約】【課題】通年で使用出来るすべり止め付きタイヤが無いために、季節の境目での事故減らす事が出来なく、簡易装着型すべり止めは常用性があるとして販売自粛の傾向にあり、次世代すべり止め付きタイヤがまちのぞまれている。【解決手段】すべり止めを出し入れする円錐カム４と、円錐カムを運動させる追従ブロック３により地域を問わず通年で使用出来るようにした【選択図】図１
2006347522.tif 000002
【特許請求の範囲】
【請求項１】
円錐カムによるピンの出し入れを特徴とする車輪のすべり止め．
【請求項２】
前記すべり止めは、車輪表面に車輪に対して固定しているブロックと車輪の運動に対して追従するブロックを設け、路面に対し車輪に滑りが生じた場合に追従するブロックの追従量の変移を円錐カムの運動に利用したことを特徴とする請求項１記載のすべり止め。
【発明の詳細な説明】
【技術分野】
【０００１】この発明は、冬用タイヤのすべり止め形状に関する。
【背景技術】
【０００２】従来のすべり止めは車輪に装着すると常に車輪表面から出ていて路面と常に接する機構である。
【発明の開示】
【発明が解決しようとする課題】
【０００３】しかしながら、以上の技術によれば、季節をとわず使用出来ない地域もあり路面を痛め環境によくなかった、そこでこの発明は、地域を問わず通年で使用出来るすべり止めを提供することを課題とする。
【課題を解決するための手段】
【０００４】以上の課題を解決するために、第一発明は、すべり止めピンの出し入れに円錐カムを設けたことを特徴とする車輪である、また、第二発明は、円錐カムの運動を路面と車輪に滑りが生じた場合に、追従量に差が生じる機構の、車輪に付帯した、移動に追従するブロックをもちいたことを特徴とするすべり止めである
【発明の効果】
【０００５】第一発明、または第二発明によれば、車輪の滑りが起こる場合にのみすべり止めピンが出るため、地域を問わず通年で使用できる。
【発明を実施するための最良の形態】
【０００６】この発明の一実施形態を、図１に示す。１は車輪であり、この車輪に付帯し固定されているブロックが２、この車輪に付帯し追従するブロックが３、すべり止めピンが４、すべり止めピンを出し入れするための円錐カムが５である、５の円錐カムは３の追従するブロックと一体である
４のすべり止めピンは５の円錐カムの運動により車輪内部より外部へ出入りする事が出来る、上記すべり止め機構を車輪の円周上に複数個設ける。【０００７】「実施形態の効果」
この実施形態によれば、車輪の回転方向のみならず横方向への滑りでもすべりピンを出す事が出来、滑り状態が終焉した時にはピンは車輪内部へ入る事がで【０００８】「他の実施形態」
図１の実施形態では、追従ブロック円錐カムとピンは独立させていたが追従ブロック内に円錐カムを付帯させてもよい、
【図面の簡単な説明】
【０００９】
【図１】この発明の一実施形態を示す斜視図である。
【図２】図１の車輪全体像である。
【図３】図１の断面図である。
【図４】固定ブロック２に対する、追従ブロック３の位置変化にて、すべり止めピン４の上下移動の図である。
【図５】上記図４は車輪の回転方向への位置変化をあらわしたものですが、図５は車輪の、横方向への位置変化でもすべり止めピンが移動する事を表した図である。
【図６】従来技術を示す斜視図である。
【符号の説明】
【００１０】１  車輪    ２  固定ブロック    ３  追従ブロック    ４  すべり止めピン    ５  円錐カム
【図１】
2006347522.tif 000003
【図２】
2006347522.tif 000004
【図３】
2006347522.tif 000005
【図４】
2006347522.tif 000006
【図５】
2006347522.tif 000007
【図６】
2006347522.tif 000008
(57)【要約】      （修正有）【課題】音の広がりを抑えた指向性を持った音声案内装置を提供する。【解決手段】 エスカレータ等の欄干内部にスピーカ２を備え、乗客に音声案内を行うエスカレータ等において、該欄干を形成する鋼板１０から離れた位置に前記スピーカを配置し、前記スピーカと前記鋼板との間に周囲が閉じられた形状のホーン１１を設け、該ホーンの内部には仕切りを備える。この前記仕切りは、スリットを有し複数組み合わされたものであったり、マス目を有し複数組み合わされたものであったり、ハニカム構造であってもよい。そして、ホーンは円筒状或いは矩形状をしている。【選択図】図１
2006347733.tif 000002
【特許請求の範囲】
【請求項１】
エスカレータ等の欄干内部にスピーカを備え、乗客に音声案内を行うエスカレータ等において、
該欄干を形成する鋼板から離れた位置に前記スピーカを配置し、前記スピーカと前記鋼板との間に周囲が閉じられた形状のホーンを設け、該ホーンの内部には仕切りを備えたことを特徴とするエスカレータ等の音声案内装置。
【請求項２】
前記仕切りは、スリットを有し複数組み合わされたものであることを特徴とする請求項１に記載のエスカレータ等の音声案内装置。
【請求項３】
前記仕切りは、マス目を有し複数組み合わされたものであることを特徴とする請求項１に記載のエスカレータ等の音声案内装置。
【請求項４】
前記仕切りは、ハニカム構造であることを特徴とする請求項１に記載のエスカレータ等の音声案内装置。
【請求項５】
前記ホーンは矩形状或いは円筒状をしていることを特徴とする請求項２乃至請求項４に記載のエスカレータ等の音声案内装置。
【発明の詳細な説明】
【技術分野】
【０００１】
本発明は、エスカレータ及び動く歩道（以下、エスカレータ等と称す）の音声案内装置の改良に関するものである。
【背景技術】
【０００２】
従来のエスカレータでは、図５に示すように、乗込み口付近の欄干１内部に隙間を空けずにスピーカ２を取付けて、乗客に各種の音声案内を行っている。即ち、乗込み案内や注意案内などである。このような音声案内において、音量を調整しやすいようにする手段や、案内の適正なタイミングを図る手段などについて提案されるのが常である。
【特許文献１】特開平６−３２１４７９号公報
【発明の開示】
【発明が解決しようとする課題】
【０００３】
たとえば、図６に示すように、上昇運転と下降運転のエスカレータが並列に配置される場合に、それぞれに案内装置が設けられており、各々が音声案内を行うと、乗客の行きたい方向と違う方向の案内が聞こえとしまう不都合が起こる。つまり、上へ行きたい乗客に対して、隣のエスカレータの「上に参ります。立ち止まらずにお進みください。」との案内が聞こえて乗込むと、実際は下へ行ってしまうようなケースが考えられる。このことは、目の不自由な乗客にとっては、避けようがなく大きな問題となる。
【０００４】
本発明は、上記の点に鑑みなされたもので、音の広がりを抑えた指向性を持った音声案内装置を提供することを目的とする。
【課題を解決するための手段】
【０００５】
本発明は、エスカレータ等の欄干内部にスピーカを備え、乗客に音声案内を行うエスカレータ等において、該欄干を形成する鋼板から離れた位置にスピーカを配置し、スピーカと鋼板との間に周囲が閉じられた形状のホーンを設け、該ホーンの内部には仕切りを備えるものである。
【発明の効果】
【０００６】
ホーン内の構造をスリット、マス目或いはハニカム構造の仕切りにより、音の通り道を狭い空間に抑えて、任意の方向に指向性を持たせ音声案内するために、必要な乗客にだけ、適切な案内を行えるものである。
【発明を実施するための最良の形態】
【０００７】
ホーン内部にスリットの入った仕切りを複数組合わせて設けるものである。
【実施例】
【０００８】
以下、本発明の実施例について、図面を用いて説明する。図１は本発明の一実施例を示す側面図、図２は図１のＡ−Ａ線矢視断面図、図３は図１のＢ−Ｂ線矢視断面図、図４は図１のＣ−Ｃ線矢視図である。
【０００９】
図中、図５及び図６と同一符号のものは同一のものを示すが、１０は欄干１を形成する鋼板、この鋼板１０とスピーカ２との間には、たとえば円筒状のホーン１１が設けられている。このホーン１１にはスリット１２ａを有する仕切り１２を備えている。このスリット１２ａを通じて音が通るため、スリット１２ａの向き以外への音の広がりが抑えられ、指向性が満たされ、必要な乗客のみに案内内容が報知されることになる。１３は鋼板１０に設けられた音抜き用の穴である。尚、このスリット１２ａ付き仕切り１２については、マス目やハニカム構造の仕切りであってもよく、実施例に限定されないのは言うまでもない。又、スペースが許せば、このホーンについては断面が矩形状をしており、長さはスピーカ２の奥行の２倍程度で、矩形状の短い辺はスピーカ２の直径程度、一方長い辺はスピーカ２の直径に対し４倍程度のものであってもかまわない。
【産業上の利用可能性】
【００１０】
本発明は、場合によってはエスカレータ等だけでなく、エレベータや機械式駐車・駐輪装置で使用されるスピーカに本発明を採用することもできる。
【図面の簡単な説明】
【００１１】
【図１】本発明の一実施例を示す側面図である。
【図２】図１のＡ−Ａ線矢視断面図である。
【図３】図１のＢ−Ｂ線矢視断面図である。
【図４】図１のＣ−Ｃ線矢視図である。
【図５】従来の音声案内装置を示す側面図である。
【図６】並列されたエスカレータの正面図である。
【符号の説明】
【００１２】
１ 欄干
２ スピーカ
１０ 欄干１の鋼板
１１ ホーン
１２ 仕切り
１２ａ 仕切り１２のスリット
【図１】
2006347733.tif 000003
【図２】
2006347733.tif 000004
【図３】
2006347733.tif 000005
【図４】
2006347733.tif 000006
【図５】
2006347733.tif 000007
【図６】
2006347733.tif 000008
(57)【要約】      （修正有）【課題】手摺ベルトの表面に、この手摺ベルトの移動方向を見易く表示し、もって転倒事故等を防止する構成としたエスカレーターの手摺ベルトを提供する。【解決手段】手摺ベルト５の表面に、この手摺ベルト５と色を異にすると共に、前記手摺ベルト５の表面の平坦部の幅Ｗ２とほぼ同じ幅の、移動方向を表示する方向表示マーク６Ａを、反転部の半円周範囲Ｈ内に少なくても１個存在する間隔をおいて複数個有する印刷シート６を設けた。【選択図】図４
2006347763.tif 000002
【特許請求の範囲】
【請求項１】
往路から復路にかけて反転して移動し、乗客を輸送する踏段と、この踏段と同期して往路から復路にかけて反転して移動する手摺ベルトとを備えたエスカレーターにおいて、前記手摺ベルトの表面に、この手摺ベルトと色を異にすると共に、前記手摺ベルトの表面平坦部の幅とほぼ同じ幅の移動方向を表示する方向表示マークを、前記反転部の半円周範囲に少なくても１個存在する間隔をおいて、その全長に複数個有する印刷シートを設けたことを特徴とするエスカレーターの手摺ベルト。
【発明の詳細な説明】
【技術分野】
【０００１】  本発明は、移動する踏段が傾斜路あるいは水平路を形成して乗客輸送を行うエスカレーターの手摺ベルトの構成に関する。
【背景技術】
【０００２】  従来においてエスカレーターの手摺ベルト表面に印刷シートを貼付けて広告表示を行う構成は、たとえば特許文献１に開示されているように、既に提案されている。【０００３】  この特許文献１に記載のエスカレーターの手摺ベルトは、手摺ベルトの表面長手方向に広告のみを表示した印刷シートを貼付けるようにしたものである。【０００４】
【特許文献１】特開２００３−２１２４６８号公報
【発明の開示】
【発明が解決しようとする課題】
【０００５】  上記特許文献１に記載のものは、それの出願時の特許請求の範囲の請求項１に「移動手摺の表面長手方向に広告物の印刷シールを貼付けた」とあるように広告媒体の提供を主眼としたものであって、この印刷シールによって乗客に対して転倒防止等の安全作用をもたらすという思想はなかった。【０００６】  一方、最近のエスカレーター利用においては、利用層の高齢化もあって、エスカレーターの乗り場で動く踏段に乗り移る際の体重移動のタイミングを失して転倒する事故が相次いでいる。これは、乗り移らんとして凝視する踏段の色が黒っぽく、踏段の動き（速度）が認識できないことに起因している。また、エスカレーターの動き方向が認識できず、逆乗り込みをしてしまう事象もある。さらに、上記特許文献１に記載の広告印刷のものは、単に文字や図柄を付したもので、手摺ベルトが動いていると文字や図柄があたかも一本の帯のように見えて方向表示の機能を発揮し得ないという問題があった。【０００７】  本発明の目的は、手摺ベルトの表面にこの手摺ベルトの移動方向を見易く表示し、もって転倒事故等を防止する構成としたエスカレーターの手摺ベルトを提供することにある。
【課題を解決するための手段】
【０００８】  本発明は上記目的を達成するために、往路から復路にかけて反転して移動し、乗客を輸送する踏段と、この踏段と同期して往路から復路にかけて反転して移動する手摺ベルトとを備えたエスカレーターにおいて、前記手摺ベルトの表面に、この手摺ベルトと色を異にすると共に、前記手摺ベルトの表面平坦部の幅とほぼ同じ幅の移動方向を表示する方向表示マークを、前記反転部の半円周範囲に少なくても１個存在する間隔をおいて、その全長に複数個有する印刷シートを設けたのである。【０００９】  このように、手摺ベルト反転部の半円周範囲内に、それの移動方向を表示する方向表示マークが存在することにより、エスカレーターに乗り込まんとする利用者（乗客）がエスカレーターの移動速度と方向が視覚的に認知できて、結果として踏段への乗り込みタイミング取りが容易となり、かつ逆乗り込み防止に役立つ構成となる。
【発明の効果】
【００１０】  本発明によれば、エスカレーターへの乗り込みタイミング取りの失敗による転倒事故を防止する一方、逆乗り込みを防止する効果を奏する。
【発明を実施するための最良の形態】
【００１１】  以下、本発明によるエスカレーターの手摺ベルトの一実施の形態を図１〜図４に示すエスカレーターに基づいて説明する。【００１２】  一般のエスカレーター１は、上階床２Ａと下階床２Ｂに装架される主フレーム３と、無端状に連結されて往路から復路にかけて反転して移動する多数の踏段４と、この踏段４と同期して往路から復路にかけて反転して移動するものでその断面形状が平坦部５Ａとこれに連なる両縁の半円部５Ｂとで馬蹄形をなす幅Ｗ１の手摺ベルト５と、この手摺ベルト５の長手方向に沿い、その平坦部５Ａ（幅Ｗ２）から半円部５Ｂにかけて接着固定（図示省略）される長尺の印刷シート６が設けられている。【００１３】  前記手摺ベルト５は、駆動歯車７の動力をチェーン８を介して駆動ローラ９等に伝達された動力によって摩擦駆動されるもので復路を案内ローラ１０、往路を欄干１１に案内され反転部１１Ａ，１１Ｂで折り返して移動する構成となっている。【００１４】  さらに、印刷シート６は手摺ベルト５の全長に貼付けられると共に、その表面層には移動方向を表示する方向表示マーク６Ａが、目立ち易いように平坦部５Ａの幅Ｗ２いっぱいに印刷によって設けられる一方、手摺ベルト５の反転部の半円周範囲Ｈ（図１，図２）内に少なくても１個存在する間隔Ｐ（図４）をおいて複数個配置されており、いま乗り込まんとする利用者（乗客）がエスカレーター１を見ると常に正面となる符号Ｈの範囲内に１個存在する方向表示マーク６Ａにより移動速度の速度感と動き方向を確実に視覚に訴えるという作用を発揮するものである。加えて、方向表示マーク６Ａは、印刷シート６の地色とは色が異なり（例えば黄色）、そのマークも図示に例示した菱形に限らず大き目の矢印や３角印などでも不都合はない。【００１５】  ここで、印刷シート６の詳細は、手摺ベルト５への接着層、印刷が施されるシート層に加え、表面のラミネート層などで形成される。【００１６】  以上説明したように、本実施形態によれば、手摺ベルト５の移動方向を見易く表示し、もってエスカレーターへの転倒事故や逆乗り等を防止することができる。【００１７】  なお、上記実施の形態は、一般のエスカレーターを一例に説明したが、隣接踏段同士に段差を有しない動く歩道と通称されるエスカレーターにもそのまま適用することができる。
【図面の簡単な説明】
【００１８】
【図１】本発明によるエスカレーターの手摺ベルトの一実施の形態を示す全体側面図。
【図２】本発明の図１のＸ−Ｘ線に沿う正面図。
【図３】本発明の図２のＹ−Ｙ線に沿う断面図。
【図４】本発明の印刷シートの単体斜視図。
【符号の説明】
【００１９】  １…エスカレーター，４…踏段，５…手摺ベルト，５Ａ…平坦部
６…印刷シート，６Ａ…方向表示マーク
【図１】
2006347763.tif 000003
【図２】
2006347763.tif 000004
【図３】
2006347763.tif 000005
【図４】
2006347763.tif 000006
(57)【要約】【課題】  従来の三角コーナーは、シンク内のコーナーに置くタイプの形が主流で、狭いシンクがより狭いものになっていた為に、シンク内の洗い物の作業が不自由であった。また、三角コーナーは、生ゴミで常に汚れて不潔であった。【解決手段】コーナー本体に吸盤を取り付け、ゴミの重量に耐えられる強度を得る為にコーナー本体の左右両側に安定板を取り付ける。又、ゴミ袋の装着に強度を持たす為に銅管に、ヤスリ目のように滑り止め加工を施したこことを特徴とする。  ゴミ袋は専用の物は必要とせず、現在、市販されている物で十分に使用出来る。また、ゴミ袋の装着は、ゴミ袋の口にリング（５）をくるむようにしてコーナー本体（１）に置く。【選択図】図４
2006347766.tif 000002
【特許請求の範囲】
【請求項１】
吸盤（３）を取り付けたコーナー本体（１）と、コーナー本体（１）の左右両側面に安定板（４）を取り付ける。
そして、ゴミ袋（６）の着脱用に、コーナー本体（１）に嵌るリング（５）を設ける。さらに、前記リング（５）には、ゴミ袋（６）の滑り止め防止に、ヤスリ目を全面に施す。
【請求項２】
試作品と写真は、コーナー本体（１）と安定板（４）をアルミで作成、リング（５）は銅管で作成している為、角ばった形状になっているが、吸盤（３）以外の材質は、コーナー本体（１）、吸盤取り付け板（２）、安定板（４）、リング（６）は総てプラスチックで成形出来る物であり、市販されている三角コーナーと同様に、丸みのある形状の三角コーナーと同様に成形できるものである。
【発明の詳細な説明】
【技術分野】
【０００１】  この発明は、台所のシンク内が広く使えるように考案したコーナーに関するものである。
【背景技術】
【０００２】        検索したものを確認することができなかった。
【発明の開示】
【発明が解決しょうとする課題】
【０００３】  従来の三角コーナーは、シンク内のコーナーに置く形の物で、洗いものの作業時には邪魔になる物であった。
【課題を解決するための手段】
【０００４】  コーナー本体（１）の先端に吸盤（３）を取り付ける。
そして、コーナー本体（１）の左右両側に安定板（４）を取り付ける。
ゴミ袋の装着には、本体に装着出来るリングを用いる。
本発明は、以上のような構成からなる、シンク用吸盤付のコーナーゴミ入れである。
【発明の効果】
【０００５】  シンクに簡単に取り付けることができ、大容量のゴミにも適用できる。専用のゴミ袋は不要で、市販の物で使用出来る、袋の着脱も簡単で手間がかからない。また、袋ごと捨てるのでシンク内のコーナーが清潔である。
【発明を実施するための最良の形態】
【０００６】  以下、本発明の実施の形態について説明する。
（イ）．アルミ製のコーナー本体（１）の先端に吸盤（３）を１個取り付ける。
（ロ）．アルミ製のコーナー本体（１）の左右両側にアルミの安定板（４）を取り付ける。
（ハ）．滑り止め加工を施した銅製のパイプ（５）を、ごみ袋の装着用として設ける。【０００７】  本発明は以上のような構造で、これを使用するときは、本体の吸盤（３）をシンク内のコーナーに取りつける。左右両側面の安定板（４）をシンクの上面に置く。
袋の装着は、ゴミ袋の口をリングの内側より外側に回して本体のコーナーに装着する。
また、逆に袋止めリング（５）からゴミ袋を外すときは。リング（５）を絡ませたゴミ袋を持ち上げると、リング（５）はゴミ袋から簡単に外すことが出来る。
【実施例】
【０００８】  本発明は、従来の物に比べてシンク内が広く使用出来ると共に、専用のゴミ袋がいらないばかりか、ゴミ袋の装着が非常に簡単であり、大量の容量を可能とする。【０００９】  また、本体の取り付けも、吸盤を１つ、シンク内に取り付けるだけで安定した強度が得られる。
【図面の簡単な説明】
【００１０】
【図１】  本発明の側面図です
【図２】  本体の平面図です
【図３】  リングの平面図です
【図４】  ゴミ袋をリングに被せて、本体に装着する正面図です
【写真１】
シンクに本発明のコーナーを取り付け、ゴミ袋を装着した時の写真です。
【符号の説明】
【００１１】  １  コーナー本体
２  吸盤取り付け板
３  吸盤
４  安定板
５  リング
６  ゴミ袋
【図１】
2006347766.tif 000003
【図２】
2006347766.tif 000004
【図３】
2006347766.tif 000005
【図４】
2006347766.tif 000006
(57)【要約】      （修正有）【課題】きのこの生産過程から発生する菌床培地を悪臭を発生することなく堆肥化し、植物の生長障害を発生しない特殊肥料の製造方法を提供する。【解決手段】きのこ生産を終了した後に残る菌床を堆積し自然発酵後、乾燥した腐熟菌床に、廃棄牛乳に乳酸菌もしくはヨーグルトを混入し乳酸発酵を行うことで生成したヨーグルト状物質を添加し、混合攪拌する。混合物を発酵場において発酵させることにより特殊肥料を製造する。【選択図】なし【特許請求の範囲】
【請求項１】
菌床を培地とした、きのこ生産は、各地で行われています。本、発明は、きのこ生産を終了した後に残る菌床のリサイクル活用を目的に開発された堆肥製造方法である。
まず、使用後の菌床を堆積し、一定期間、自然発酵および腐熟させた物を乾燥させることで、一定の含水率の乾燥腐熟菌床が形成される。もう一方の添加材料であるヨーグルト状物質は、発酵乳製造に伴い排出される廃棄牛乳に乳酸菌もしくはヨーグルトを混入し、外部からの熱を加えて一定期間乳酸発酵を行うことで、ヨーグルト状物質が生成される。次に、生成された乾燥腐熟菌床に、添加物である、ヨーグルト状物質を添加し、混合撹拌することで本肥料の基礎物質が形成される。さらに、形成された物質を発酵場において一定期間発酵させることで本発明商品である菌床とヨーグルトを利用した特殊堆肥が完成する。などの廃棄菌床とヨーグルトを利用した特殊肥料製造方法。
【発明の詳細な説明】
【技術分野】
【０００１】  本発明は、きのこ生産に伴う廃棄菌床と発酵乳生産に伴う廃棄牛乳を混合し、発酵、分解を利用して一体化することで、分解成分を蓄え、且つ、植物の成長を促す肥料的効果を持つ物質が生成される。などの肥料製造方法である。【０００２】  きのこ生産過程から、生産終了後に菌床培地が残ります。これらの菌床が野積になっている光景をよく目にします。このように使われなくなった菌床に廃棄牛乳を利用し、付加価値をつけることで商品として販売し、廃棄物資源の有効利用を目的に開発されたものである。
［特許文献］  本発明に類意した文献を検索しましたが、発見には至らなかった。したがって、類意したものは無いと考える。
［発明の開示］
［発明が解決しようとする課題］【０００３】  発酵乳製造に伴う廃棄牛乳と、きのこ生産に伴う廃棄菌床、などの廃棄物資源有効利用。
［課題を解消するための手段］【０００４】  菌床培地に肥料的効果を持たせるには木質の分解をしなければなりません。あらかじめ、ある程度腐熟させた菌床に、ヨーグルト菌を増殖させた牛乳を混合することで、乳酸菌、及び、その他の微生物作用により、木質を分解させ肥料的効果を蓄える物質が精製される。
［発明の効果］【０００５】  廃棄物である牛乳と菌床に、微生物を用いて付加価値を付け、商品として販売することで、廃棄物の排出量を削減させる効果を示すとともに、資源の有効活用に寄与することが出来る。また、牛乳及びヨーグルト成分が肥料として土壌内に入ることで、新たな活性を示すとともに、新たな効果を発生する可能性を秘めている。
［発明を実施するための最良の形態］【０００６】  本肥料製造方法は、一次発酵と二次発酵の二度による発酵工程がある。まず、一次発酵では、廃棄牛乳にヨーグルト菌を添加し、乳酸発酵を行うものであるが、このとき発酵を終了する時期が重要である。これは、木質の分解の二次発酵を想定したものである。さらに、二次発酵においては、発酵物の堆積方法が重要で、発酵中に二酸化炭素と水を排出する性質が見られ、これらの排出物を大気に放出する工夫が求められます。つまり、堆積物をあまり高く積み上げないことが、良好な発酵を促すことになります。
［実施例］【０００７】  廃棄牛乳を器に入れ乳酸菌を添加し発酵を促すことでヨーグルト成分を蓄えた物質が生成される。さらに、あらかじめ腐食の進み、且つ、乾燥させた菌床にヨーグルト成分を蓄えた物質を入れ混合攪拌する。生成された混合物質を発酵場に移動し、一定量確保して発酵工程に入り一定期間発酵を促す。約２０日〜２５日の発酵工程を経て、本菌床とヨーグルトを原料とした特殊肥料が完成する。
［産業上の利用可能性］【０００８】  現在まで、牛乳やヨーグルトを成分とした肥料は使われていないようです。本肥料の肥料的効果を知るため幾度かの試験を行った結果、極めて強い肥料的効果を確認しています。したがって、農業分野で、特殊肥料として利用されると考える。